(57)【要約】【課題】内燃機関の始動装置において、自己着火を抑制して始動性の向上を図る。【解決手段】エンジン１０の始動時に、膨張行程で停止している気筒に対してインジェクタ４１により燃料噴射を実行すると共に、点火プラグ４５により点火を実行し、この膨張行程で停止している気筒に続く圧縮行程で停止している気筒に対してインジェクタ４１により燃料噴射を実行すると共に、点火プラグ４５により圧縮ＴＤＣ近傍で点火を実行することでエンジン１０を始動可能とし、エンジン冷却水温が所定温度以上であるときには、圧縮行程で停止している気筒に対する燃料噴射時期を遅角する。【選択図】        図１
2006348863.tif 000002
【特許請求の範囲】
【請求項１】
燃焼室と、該燃焼室に連通する吸気ポート及び排気ポートと、前記吸気ポート及び前記排気ポートを開閉する吸気弁及び排気弁と、前記燃焼室に燃料を噴射する燃料噴射手段と、前記燃焼室内の混合気に点火する点火手段と、内燃機関のクランク角度を検出するクランク角度検出手段と、前記クランク角度検出手段の検出結果に基づいて膨張行程にある気筒に対して前記燃料噴射手段による燃料噴射と前記点火手段による点火を実行すると共に前記膨張行程にある気筒に続く後続気筒に対して前記燃料噴射手段による燃料噴射と前記点火手段による圧縮上死点近傍での点火を実行する着火始動手段と、前記内燃機関の温度を検出する温度検出手段と、前記内燃機関の始動時に前記着火始動手段を作動すると共に前記温度検出手段の検出結果に基づいて前記内燃機関の温度が予め設定された所定温度以上にあるときには前記後続気筒に対する燃料噴射時期を遅角する制御手段とを具えたことを特徴とする内燃機関の始動装置。
【請求項２】
請求項１に記載の内燃機関の始動装置において、前記制御手段は、前記膨張行程にある気筒に続く圧縮行程にある気筒の停止位置が圧縮行程の後半にあるときには、前記内燃機関の温度に拘らず所定の時期に燃料噴射を実行する一方、前記圧縮行程にある気筒の停止位置が圧縮行程の前半にあり、且つ、前記内燃機関の温度が前記所定温度以上にあるときに、燃料噴射時期を圧縮上死点近傍に遅角することを特徴とする内燃機関の始動装置。
【請求項３】
請求項１または２に記載の内燃機関の始動装置において、前記制御手段は、前記圧縮行程にある気筒に続く吸気行程にある気筒の停止位置が吸気行程の後半にあり、且つ、前記内燃機関の温度が前記所定温度以上にあるときには、前記吸気行程にある気筒に対する燃料噴射時期を遅角することを特徴とする内燃機関の始動装置。
【請求項４】
請求項１に記載の内燃機関の始動装置において、前記制御手段は、前記内燃機関の始動時に前記着火始動手段を作動すると共に、前記温度検出手段の検出結果に基づいて前記内燃機関の温度が予め設定された第１所定温度以上にあるときには、後続行程にある気筒に対する燃料噴射時期を圧縮上死点手前に遅角し、前記内燃機関の温度が前記第１所定温度より高い第２所定温度以上にあるときには、前記後続行程にある気筒に対する燃料噴射時期を圧縮上死点以降の膨張行程に遅角することを特徴とする内燃機関の始動装置。
【請求項５】
請求項１から４のいずれか一つに記載の内燃機関の始動装置において、前記制御手段は、前記圧縮行程にある気筒または前記吸気行程にある気筒に対する燃料噴射時期を遅角したとき、それに続く後続気筒に対する燃料噴射時期を所定時期に戻すことを特徴とする内燃機関の始動装置。
【発明の詳細な説明】
【技術分野】
【０００１】
本発明は、膨張行程にある気筒に対して燃料噴射及び点火を行って燃焼させ、その燃焼エネルギにより内燃機関を始動させる内燃機関の始動装置に関するものである。
【背景技術】
【０００２】
近年、排気ガス対策や燃費向上などの手法として、車両がアイドル状態で停止しているときにエンジンを自動的に停止させ、発進時に自動的に再始動して円滑に発進させるようにした技術が各種提案されている。この場合、エンジンの再始動に時間が掛かるとドライバの発進意思に対してレスポンスが遅れてドライバビリティが悪化するため、素早く再始動させることが重要である。ところが、エンジンを始動する場合、一般にスタータモータを用いており、このエンジンを素早く再始動させることが困難である。また、頻繁にエンジンの停止と始動を繰り返すことで、このスタータモータや周辺部品の寿命低下、また、バッテリーの使用過多による充電量の低下などを招いてしまう。
【０００３】
そこで、例えば、下記特許文献１では、燃料を吸気ポートではなく燃焼室に直接噴射する筒内噴射式のエンジンにて、膨張行程にある気筒に燃料を噴射して点火することで燃焼させ、その爆発力によりエンジンを始動可能としている。この特許文献１に記載された「エンジンの始動装置」は、筒内噴射式エンジンにて、エンジンの再始動開始時点からスタータを作動させると共に、圧縮行程にある気筒を、その圧縮行程の終期以降に燃焼させるように燃料噴射及び点火のタイミングを制御し、且つ、エンジンの再始動時に気筒内の空気温度が基準温度よりも高い場合に、エンジン停止時に吸気行程にある気筒の燃焼を抑制するようにしたものである。
【０００４】
【特許文献１】特開２００４−１２４７５４号公報
【発明の開示】
【発明が解決しようとする課題】
【０００５】
上述したように、停止状態にあるエンジンを再始動する場合、膨張行程にある気筒に対して燃料噴射と点火を行って燃焼させることで、爆発力を得てエンジンに回転力を与え、続いて、圧縮行程にある気筒、吸気行程にある気筒が所定の位置まで回転したときに燃料噴射と点火を行って燃焼させ、その後、通常の燃料噴射と点火を行ってエンジンを再始動させる。ところが、このエンジンの再始動時に、気筒内の空気温度が高温である場合には、所定の気筒に燃料を噴射した後、所定の点火時期に至る前に自己着火が発生して十分な始動トルクを得ることができないことがある。
【０００６】
上述した従来のエンジンの始動装置では、エンジンの再始動時に、気筒内の空気温度が基準温度よりも高い場合には、エンジン停止時に吸気行程にある気筒の燃焼を抑制、つまり、吸気行程にある気筒への燃料噴射及び点火を中止するようにしている。しかし、吸気行程にある気筒の燃焼を抑制したり、燃料噴射及び点火を中止したりすると、スタータに大きな負荷が作用して消費電力が増大したり、耐久性が低下してしまうという問題がある。また、自己着火しやすい気筒は、吸気行程で停止している気筒ばかりでなく、圧縮行程で停止している気筒も自己着火する可能性があり、適正な始動性が確保されていない。
【０００７】
本発明は、このような問題を解決するためのものであって、自己着火を抑制して始動性の向上を図った内燃機関の始動装置を提供することを目的とする。
【課題を解決するための手段】
【０００８】
上述した課題を解決し、目的を達成するために、本発明の内燃機関の始動装置は、燃焼室と、該燃焼室に連通する吸気ポート及び排気ポートと、前記吸気ポート及び前記排気ポートを開閉する吸気弁及び排気弁と、前記燃焼室に燃料を噴射する燃料噴射手段と、前記燃焼室内の混合気に点火する点火手段と、内燃機関のクランク角度を検出するクランク角度検出手段と、前記クランク角度検出手段の検出結果に基づいて膨張行程にある気筒に対して前記燃料噴射手段による燃料噴射と前記点火手段による点火を実行すると共に前記膨張行程にある気筒に続く後続気筒に対して前記燃料噴射手段による燃料噴射と前記点火手段による圧縮上死点近傍での点火を実行する着火始動手段と、前記内燃機関の温度を検出する温度検出手段と、前記内燃機関の始動時に前記着火始動手段を作動すると共に前記温度検出手段の検出結果に基づいて前記内燃機関の温度が予め設定された所定温度以上にあるときには前記後続気筒に対する燃料噴射時期を遅角する制御手段とを具えたことを特徴とするものである。
【０００９】
本発明の内燃機関の始動装置では、前記制御手段は、前記膨張行程にある気筒に続く圧縮行程にある気筒の停止位置が圧縮行程の後半にあるときには、前記内燃機関の温度に拘らず所定の時期に燃料噴射を実行する一方、前記圧縮行程にある気筒の停止位置が圧縮行程の前半にあり、且つ、前記内燃機関の温度が前記所定温度以上にあるときに、燃料噴射時期を圧縮上死点近傍に遅角することを特徴としている。
【００１０】
本発明の内燃機関の始動装置では、前記制御手段は、前記圧縮行程にある気筒に続く吸気行程にある気筒の停止位置が吸気行程の後半にあり、且つ、前記内燃機関の温度が前記所定温度以上にあるときには、前記吸気行程にある気筒に対する燃料噴射時期を遅角することを特徴としている。
【００１１】
本発明の内燃機関の始動装置では、前記制御手段は、前記内燃機関の始動時に前記着火始動手段を作動すると共に、前記温度検出手段の検出結果に基づいて前記内燃機関の温度が予め設定された第１所定温度以上にあるときには、後続行程にある気筒に対する燃料噴射時期を圧縮上死点手前に遅角し、前記内燃機関の温度が前記第１所定温度より高い第２所定温度以上にあるときには、前記後続行程にある気筒に対する燃料噴射時期を圧縮上死点以降の膨張行程に遅角することを特徴としている。
【００１２】
本発明の内燃機関の始動装置では、前記制御手段は、前記圧縮行程にある気筒または前記吸気行程にある気筒に対する燃料噴射時期を遅角したとき、それに続く後続気筒に対する燃料噴射時期を所定時期に戻すことを特徴としている。
【発明の効果】
【００１３】
本発明の内燃機関の始動装置によれば、内燃機関の始動時に、着火始動手段を作動して、膨張行程にある気筒に対して燃料噴射及び点火を実行すると共に、膨張行程にある気筒に続く後続気筒に対して燃料噴射及び圧縮上死点近傍での点火を実行し、このとき、内燃機関の温度が予め設定された温度以上にあるときには後続気筒に対する燃料噴射時期を遅角するようにしたので、膨張行程にある気筒に燃料噴射及び点火を実行して燃焼することで爆発力を得て、エンジンが再始動し始めると、膨張行程にある気筒に続く後続気筒、例えば、圧縮行程にある気筒や吸気行程にある気筒に対して続いて燃料噴射及び点火を実行するが、機関温度が高いときには、圧縮行程で噴射した燃料が自己着火しやすいため、このときは燃料噴射時期を上死点近傍まで遅角することで、この自己着火が抑制されることとなり、始動性を向上することができる。
【発明を実施するための最良の形態】
【００１４】
以下に、本発明に係る内燃機関の始動装置の実施例を図面に基づいて詳細に説明する。なお、この実施例によりこの発明が限定されるものではない。
【実施例１】
【００１５】
図１は、本発明の実施例１に係る内燃機関の始動装置を表す概略構成図、図２は、実施例１の内燃機関の始動装置におけるエンジン停止制御および始動制御を表すフローチャート、図３は、実施例１の内燃機関の始動装置におけるエンジン停止時の気筒内挙動を表す概略図、図４は、圧縮行程の後半で停止した気筒に対する燃料噴射時期及び点火時期を表す概略図、図５は、圧縮行程の前半で停止した気筒に対する燃料噴射時期及び点火時期を表す概略図である。
【００１６】
実施例１の内燃機関の始動装置が適用されたエンジンにおいて、図１に示すように、この内燃機関としてのエンジン１０は４気筒筒内噴射式であって、シリンダブロック１１上にシリンダヘッド１２が締結されており、このシリンダブロック１１に形成された複数のシリンダボア１３にピストン１４がそれぞれ上下移動自在に嵌合している。そして、シリンダブロック１１の下部にクランクケース１５が締結され、このクランクケース１５内にクランクシャフト１６が回転自在に支持されており、各ピストン１４はコネクティングロッド１７を介してこのクランクシャフト１６にそれぞれ連結されている。
【００１７】
燃焼室１８は、シリンダブロック１１とシリンダヘッド１２とピストン１４により構成されており、この燃焼室１８は、上部（シリンダヘッド１２の下面）の中央部が高くなるように傾斜したペントルーフ形状をなしている。そして、この燃焼室１８の上部、つまり、シリンダヘッド１２の下面に吸気ポート１９及び排気ポート２０が対向して形成されており、この吸気ポート１９及び排気ポート２０に対して吸気弁２１及び排気弁２２の下端部がそれぞれ位置している。この吸気弁２１及び排気弁２２は、シリンダヘッド１２に軸方向に沿って移動自在に支持されると共に、吸気ポート１９及び排気ポート２０を閉止する方向に付勢支持されている。また、シリンダヘッド１２には、吸気カムシャフト２３及び排気カムシャフト２４が回転自在に支持されており、吸気カム２５及び排気カム２６が図示しないローラロッカアームを介して吸気弁２１及び排気弁２２の上端部に接触している。
【００１８】
従って、エンジン１０に同期して吸気カムシャフト２３及び排気カムシャフト２４が回転すると、吸気カム２５及び排気カム２６がローラロッカアームを作動させ、吸気弁２１及び排気弁２２が所定のタイミングで上下移動することで、吸気ポート１９及び排気ポート２０を開閉し、吸気ポート１９と燃焼室１８、燃焼室１８と排気ポート２０とをそれぞれ連通することができる。
【００１９】
また、このエンジン１０の動弁機構は、運転状態に応じて吸気弁２１及び排気弁２２を最適な開閉タイミングに制御する吸気・排気可変動弁機構（ＶＶＴ：Variable Valve Timing-intelligent）２７，２８となっている。この吸気・排気可変動弁機構２７，２８は、吸気カムシャフト２３及び排気カムシャフト２４の軸端部にＶＶＴコントローラ２９，３０が設けられて構成され、オイルコントロールバルブ３１，３２からの油圧をこのＶＶＴコントローラ２９，３０の図示しない進角室及び遅角室に作用させることによりカムスプロケットに対するカムシャフト２３，２４の位相を変更し、吸気弁２１及び排気弁２２の開閉時期を進角または遅角することができるものである。この場合、吸気・排気可変動弁機構２７，２８は、吸気弁２１及び排気弁２２の作用角（開放期間）を一定としてその開閉時期を進角または遅角する。また、吸気カムシャフト２３及び排気カムシャフト２４には、その回転位相を検出するカムポジションセンサ３３，３４が設けられている。
【００２０】
吸気ポート１９には、インテークマニホールド３５を介してサージタンク３６が連結され、このサージタンク３６に吸気管３７が連結されており、この吸気管３７の空気取入口にはエアクリーナ３８が取付けられている。そして、このエアクリーナ３８の下流側にスロットル弁３９を有する電子スロットル装置４０が設けられている。また、シリンダヘッド１２には、燃焼室１８に直接燃料を噴射するインジェクタ４１が装着されており、このインジェクタ４１は、吸気ポート１９側に位置して上下方向に所定角度傾斜している。各気筒に装着されるインジェクタ４１はデリバリパイプ４２により連結され、このデリバリパイプ４２には燃料供給管４３を介して高圧ポンプ４４が連結され、この高圧ポンプ４４には図示しない燃料供給管を介して低圧ポンプ、燃料タンクが連結されている。更に、シリンダヘッド１２には、燃焼室１８の上方に位置して混合気に着火する点火プラグ４５が装着されている。本実施例では、このインジェクタ４１と点火プラグ４５により本発明の着火始動手段が構成される。
【００２１】
一方、排気ポート２０には、エギゾーストマニホールド４６を介して排気管４７が連結されており、この排気管４７には排気ガス中に含まれるＨＣ、ＣＯ、ＮＯｘなどの有害物質を浄化処理する触媒装置４８，４９が装着されている。また、エンジン１０には、クランキングを行うスタータモータ５０が設けられており、エンジン始動時に図示しないピニオンギヤがリングギヤと噛み合った後、回転力がピニオンギヤからリングギヤへと伝わり、クランクシャフト１６を回転することができる。
【００２２】
ところで、車両には電子制御ユニット（ＥＣＵ）５１が搭載されており、このＥＣＵ５１は、インジェクタ４１や点火プラグ４５などを制御可能となっている。即ち、吸気管３７の上流側にはエアフローセンサ５２及び吸気温センサ５３が装着され、また、サージタンク３６には吸気圧センサ５４が設けられており、計測した吸入空気量、吸気温度、吸気圧（吸気管負圧）をＥＣＵ５１に出力している。また、電子スロットル装置４０にはスロットルポジションセンサ５５が装着されており、現在のスロットル開度をＥＣＵ５１に出力しており、アクセルポジションセンサ５６は、現在のアクセル開度をＥＣＵ５１に出力している。更に、クランク角センサ５７は、検出した各気筒のクランク角度をＥＣＵ５１に出力し、このＥＣＵ５１は検出したクランク角度に基づいて各気筒における吸気、圧縮、膨張（爆発）、排気の各行程を判別すると共に、エンジン回転数を算出している。また、シリンダブロック１１にはエンジン冷却水温を検出する水温センサ５８が設けられており、検出したエンジン冷却水温をＥＣＵ５１に出力している。また、各インジェクタ４１に連通するデリバリパイプ４２には燃圧センサ５９が設けられており、検出した燃料圧力をＥＣＵ５１に出力している。
【００２３】
従って、ＥＣＵ５１は、検出した燃料圧力に基づいてこの燃料圧力が所定圧力となるように高圧ポンプ４４を駆動すると共に、検出した吸入空気量、吸気温度、吸気圧、スロットル開度、アクセル開度、エンジン回転数、エンジン冷却水温などのエンジン運転状態に基づいて燃料噴射量、噴射時期、点火時期などを決定し、インジェクタ４１及び点火プラグ４５を駆動して燃料噴射及び点火を実行する。
【００２４】
また、ＥＣＵ５１は、エンジン運転状態に基づいて吸気・排気可変動弁機構２７，２８を制御可能となっている。即ち、低温時、エンジン始動時、アイドル運転時や軽負荷時には、排気弁２２の閉止時期と吸気弁２１の開放時期のオーバーラップをなくすことで、排気ガスが吸気ポート１９または燃焼室１８に吹き返す量を少なくし、燃焼安定及び燃費向上を可能とする。また、中負荷時には、このオーバーラップを大きくすることで、内部ＥＧＲ率を高めて排ガス浄化効率を向上させると共に、ポンピングロスを低減して燃費向上を可能とする。更に、高負荷低中回転時には、吸気弁２１の閉止時期を進角することで、吸気が吸気ポート１９に吹き返す量を少なくし、体積効率を向上させる。そして、高負荷高回転時には、吸気弁２１の閉止時期を回転数にあわせて遅角することで、吸入空気の慣性力に合わせたタイミングとし、体積効率を向上させる。
【００２５】
このように構成されたエンジン１０にあっては、車両がアイドル状態で停止しているときにこのエンジン１０を自動的に停止させるエンジン自動停止機能と、エンジン１０が自動停止しているときに発進指令により自動的に再始動させるエンジン再始動機能を有している。そして、本実施例では、エンジン１０の再始動時に、スタータモータ５０を使用するのに加えて、筒内噴射機構を用いてエンジン１０を着火始動するようにしている。
【００２６】
即ち、制御手段としてのＥＣＵ５１は、エンジン１０の停止後に、クランク角センサ５７の検出結果に基づいてピストン１４が膨張行程で停止している気筒を判別する。そして、エンジン１０の再始動時に、この膨張行程で停止している気筒に対して燃料を噴射し、混合気に点火することで燃焼させて爆発力を得て、この爆発力によりピストン１４を移動してクランクシャフト１６を駆動し、続いてスタータモータ５０を駆動することでクランクシャフト１６に駆動力を付与してエンジン１０を再始動する。
【００２７】
本実施例の場合、エンジン１０が筒内噴射式の４気筒直列型であるため、図３に示すように、例えば、第１気筒＃１が上死点（ＴＤＣ）を越えて膨張行程で停止したとき、続く第３気筒＃３は圧縮行程で停止し、更に続く気筒（図示略）は吸気行程で停止している。このエンジン１０の停止状態から、膨張行程で停止している第１気筒＃１に対して燃料噴射と点火を実行して燃焼させて爆発力を得て、この第１気筒＃１の爆発力によりピストン１４を押し下げる。そして、この膨張行程で停止している第１気筒＃１に対して燃料噴射と点火を実行することで燃焼させた後、スタータモータ５０を駆動することで、第１気筒＃１の爆発力とスタータモータ５０の駆動力によりピストン１４を介してクランクシャフト１６を駆動する。
【００２８】
すると、このクランクシャフト１６の駆動力が、第１気筒＃１の続く圧縮行程で停止している第３気筒＃３のピストン１４に伝達されてこれを押し上げる。続いて、この圧縮行程で停止している第３気筒＃３では、ピストン１４が上昇して燃焼室１８内の空気が圧縮されると、燃料噴射と点火を実行して燃焼させて爆発力を得て、この第３気筒＃３の爆発力によりピストン１４を押し下げる。更に、第３気筒＃３の続く吸気行程で停止している気筒では、ピストン１４が上昇して燃焼室１８内の空気が圧縮されると、燃料噴射と点火を実行して燃焼させて爆発力を得て、その爆発力によりピストン１４を押し下げる。そして、この吸気行程で停止している気筒に続く各気筒に対して同様に燃料噴射と点火を繰り返し実行することで、エンジン１０が再始動される。
【００２９】
また、本実施例では、エンジン１０を再始動するとき、膨張行程、圧縮行程、吸気行程などで停止している気筒に対して所定のクランク角度で燃料噴射と点火を継続して行って燃焼させるが、圧縮行程で停止している気筒内の空気温度が高温である場合には、この気筒に燃料を噴射した後、所定の点火時期に至る前に自己着火して十分な始動トルクを得ることができないことがある。
【００３０】
そこで、本実施例では、ＥＣＵ５１は、エンジン１０の再始動時に、温度検出手段としての水温センサ５８の検出結果に基づいて、エンジン冷却水温が予め設定された温度以上にあるときには、膨張行程で停止している気筒に続く後続気筒、つまり、圧縮行程で停止している気筒に対する燃料噴射時期を遅角するようにしている。この場合、圧縮行程で停止している気筒では、その停止位置が圧縮行程の前半にあり、且つ、エンジン冷却水温が予め設定された温度以上にあるときには、圧縮行程で停止している気筒に対する燃料噴射時期を遅角するようにしている。
【００３１】
即ち、図４に示すように、第１気筒＃１が膨張行程の後半で停止し、続く第３気筒＃３は圧縮行程の後半で停止しているときは、第１気筒＃１の爆発力により回転が開始された直後に燃料を噴射し、ＴＤＣ近傍で点火する。この場合、第３気筒＃３の実圧縮比が小さいため、エンジン１０が高温であっても、噴射燃料が自己着火することがほとんどないため、燃料噴射時期を遅角する必要はない。
【００３２】
一方、図５に示すように、第１気筒＃１が膨張行程の前半で停止し、続く第３気筒＃３は圧縮行程の前半で停止しているときは、第１気筒＃１の爆発力により回転が開始された直後ではなく、ＴＤＣの手前で燃料を噴射し、その後に点火する。この場合、回転が開始された直後の第３気筒＃３に燃料を噴射すると、この第３気筒＃３の実圧縮比が大きいため、エンジン１０が高温であると、噴射燃料が高温高圧となって自己着火しやすくなるため、燃料噴射時期を遅角する必要がある。
【００３３】
ここで、上述した実施例１の内燃機関の始動装置における停止制御及び再始動制御について、図２のフローチャートに基づいて詳細に説明する。
【００３４】
図１及び図２に示すように、ステップＳ１にて、ＥＣＵ５１は、車両の運転中にエンジン１０の自動停止条件が成立したかどうかを判定する。ここで、エンジン１０の自動停止とは、アイドル運転中にエンジンを停止する、所謂、アイドルストップである。この場合、エンジン１０の自動停止条件とは、例えば、車速が０km/h、ブレーキスイッチがＯＮ状態、シフトレバーの操作位置がニュートラル（Ｎ）位置であることが所定時間継続したことであり、このとき、車両は赤信号灯で停車していると判断して自動停止条件が成立したと判定する。なお、車両の減速中にエンジン１０を停止しても良く、この場合、エンジン１０の自動停止条件とは、車速が一定速度以下、エンジン回転数が一定回転以下、エンジン冷却水温が一定温度以下、冷暖房装置がＯＦＦ状態であり、このとき、車両は減速中であると判断して自動停止条件が成立したと判定する。
【００３５】
このステップＳ１にて、エンジン１０の自動停止条件が成立したと判定されると、ステップＳ２に移行し、ここで、ＥＣＵ５１は、エンジン１０を停止する。即ち、インジェクタ４１による燃料噴射を停止すると共に、点火プラグ４５による点火を停止する。
【００３６】
その後、ステップＳ３では、エンジン１０が自動停止している状態で、エンジン再始動条件が成立したかどうかを判定する。ここで、エンジン１０の再始動条件とは、例えば、車速が０km/h、ブレーキスイッチがＯＮ状態、シフトレバーの操作位置が走行（１、２、Ｄ、Ｒ）位置であるときに、ドライバに発進する意思があると判断して再始動条件が成立したと判定する。このステップＳ３にて、エンジン１０の再始動条件が成立したと判定されると、ステップＳ４以降でエンジン１０の着火始動を実行する。
【００３７】
即ち、ステップＳ４にて、エンジン１０の再始動前に、クランク角センサ５７の検出結果に基づいて膨張行程で停止している気筒を判別する。そして、ステップＳ５にて、ＥＣＵ５１は、圧縮行程で停止している気筒が、この圧縮行程の前半で停止しているかどうかを判定する。ここで、圧縮行程で停止している気筒がこの圧縮行程の前半で停止していないと判定されたら、圧縮行程で停止している気筒の燃料噴射時期を遅角する設定をせずにステップＳ８に移行する。一方、ステップＳ５で、圧縮行程で停止している気筒がこの圧縮行程の前半で停止していると判定されたら、ステップＳ６に移行する。
【００３８】
このステップＳ６にて、ＥＣＵ５１は、水温センサ５８が検出したエンジン冷却水温が予め設定された所定温度以上かどうかを判定する。ここで、エンジン冷却水温が所定温度以上でないと判定されたら、圧縮行程で停止している気筒の燃料噴射時期を遅角する設定をせずにステップＳ８に移行する。一方、エンジン冷却水温が所定温度以上であると判定されたら、ステップＳ７にて、圧縮行程で停止している気筒の燃料噴射時期を遅角する設定をした後、ステップＳ８に移行する。
【００３９】
このようにステップＳ５、Ｓ６、Ｓ７の処理にて、圧縮行程で停止している気筒がこの圧縮行程の前半で停止し、且つ、エンジン冷却水温が所定温度以上であるときに、この圧縮行程で停止している気筒の燃料噴射時期を遅角する設定を行ってからステップＳ８に移行する。そして、ステップＳ８にて、この膨張行程で停止している気筒の燃焼室１８に対してインジェクタ４１により所定量の燃料を噴射した後、点火プラグ４５により混合気に点火することで、この気筒は燃焼を開始して爆発力を得てピストン１４を下降させる。続いて、ステップＳ９では、圧縮行程で停止している気筒が始動した直後にスタータモータ５０による始動を開始する。
【００４０】
そして、膨張行程で停止している気筒が燃焼を開始すると共にスタータモータ５０が駆動し、この気筒のピストン１４が下降すると、クランクシャフト１６が回転し、この回転力が膨張行程で停止している気筒に続く気筒、つまり、圧縮行程で停止している気筒に伝達され、この圧縮行程で停止している気筒のピストン１４が上昇して圧縮行程が開始される。ステップＳ１０では、この圧縮行程で停止している気筒が所定の時期に、インジェクタ４１により所定量の燃料を噴射した後、点火プラグ４５により混合気に点火することで、この気筒は燃焼を開始して爆発力を得てピストン１４を下降させる。
【００４１】
この圧縮行程で停止している気筒に対して、インジェクタ４１により燃料噴射を実行するとき、この気筒が圧縮行程の後半で停止していたり、エンジン冷却水温が所定温度より低いときには、この圧縮行程で停止している気筒の燃料噴射時期が遅角するように設定されていないため、膨張行程で停止している気筒の爆発力により回転が開始された直後に燃料を噴射し、ＴＤＣ近傍で点火する。
【００４２】
一方、圧縮行程で停止している気筒がこの圧縮行程の前半で停止し、且つ、エンジン冷却水温が所定温度以上であるとき、この圧縮行程で停止している気筒の燃料噴射時期が遅角するように設定されているため、膨張行程で停止している気筒の爆発力により回転が開始されてピストン１４がＴＤＣの手前に位置したときに燃料を噴射し、その後に点火する。従って、ＴＤＣ近傍で燃料噴射と点火が連続して行われることとなり、圧縮行程中に、高温高圧となった混合気が自己着火するのを防止することができる。その後、ステップＳ１１にて、燃料噴射時期をエンジン１０の運転状態に応じた所定の時期に戻す。
【００４３】
そして、ステップＳ１２にて、膨張行程、圧縮行程で停止している気筒に続く各気筒に対して、通常通りに吸気ポート１９から空気を吸入し、インジェクタ４１から所定量の燃料を噴射すると共に、点火プラグ４５により混合気に点火することで燃焼し、爆発力を得てピストン１４を下降させることとなる。従って、各気筒での爆発力が所定時間継続されると共に、スタータモータ５０から付与される駆動力によりエンジン１０が再始動される。
【００４４】
その後、ステップＳ１３では、エンジン回転数が始動回転数以上まで上昇したかどうかを判定し、エンジン回転数が始動回転数以上となったらステップＳ１４に移行し、スタータモータ５０により始動を終了し、エンジン１０は適正に再始動される。
【００４５】
このように実施例１の内燃機関の始動装置にあっては、エンジン１０の始動時に、膨張行程で停止している気筒に対してインジェクタ４１により燃料噴射を実行すると共に、点火プラグ４５により点火を実行し、この膨張行程で停止している気筒に続く気筒、つまり、圧縮行程で停止している気筒に対してインジェクタ４１により燃料噴射を実行すると共に、点火プラグ４５により圧縮ＴＤＣ近傍で点火を実行することでエンジン１０を始動可能とし、エンジン冷却水温が所定温度以上であるときには、圧縮行程で停止している気筒に対する燃料噴射時期を遅角するようにしている。
【００４６】
従って、膨張行程で停止している気筒に燃料噴射及び点火を実行して燃焼することで爆発力を得て、エンジン１０が再始動し始めると、膨張行程で停止している気筒に続く後続気筒、つまり、圧縮行程で停止している気筒に対して燃料噴射及び点火を実行するが、エンジン冷却水温が所定温度以上であるときには、この圧縮行程で停止している気筒の燃料噴射時期が遅角されるため、膨張行程で停止している気筒の爆発力により回転が開始されてピストン１４がＴＤＣの手前に位置したときに燃料を噴射し、その後に点火することとなり、圧縮行程中に高温高圧の混合気が自己着火するのを防止することができ、エンジン１０の始動性を向上することができる。
【００４７】
また、実施例１にあっては、圧縮行程で停止している気筒がこの膨張行程の前半で停止し、且つ、エンジン冷却水温が所定温度以上であるときには、圧縮行程で停止している気筒に対する燃料噴射時期を遅角するようにしている。従って、圧縮行程で停止している気筒に噴射された燃料噴霧が、圧縮行程中に高温高圧になって自己着火するのを確実に防止することができる。
【００４８】
また、本実施例では、圧縮行程で停止している気筒に対する燃料噴射時期を遅角したとき、それに続く後続気筒に対する燃料噴射時期をエンジン運転状態に応じた所定の燃料噴射時期に戻すようにしている。従って、圧縮行程で停止している気筒に続く後続気筒の燃焼悪化を防止することができる。
【実施例２】
【００４９】
図６は、本発明の実施例２に係る内燃機関の始動装置におけるエンジン停止制御及び始動制御を表すフローチャート、図７は、圧縮行程の前半で停止した気筒に対する燃料噴射時期及び点火時期を表す概略図である。なお、本実施例の内燃機関の始動装置における全体構成は、上述した実施例１とほぼ同様であり、図１を用いて説明すると共に、この実施例１で説明したものと同様の機能を有する部材には同一の符号を付して重複する説明は省略する。
【００５０】
実施例２の内燃機関の始動装置にあっては、前述した実施例１と同様に図１に示すように、車両がアイドル状態で停止しているときにこのエンジン１０を自動的に停止させるエンジン自動停止機能と、エンジン１０が自動停止しているときに発進指令により自動的に再始動させるエンジン再始動機能を有している。即ち、このＥＣＵ５１は、エンジン１０の停止後に、ピストン１４が膨張行程で停止している気筒を判別し、エンジン１０の再始動時に、この膨張行程で停止している気筒に対して燃料を噴射し、混合気に点火することで燃焼させて爆発力を得て、この爆発力によりピストン１４を移動してクランクシャフト１６を駆動し、続いてスタータモータ５０を駆動することでクランクシャフト１６に駆動力を付与してエンジン１０を再始動する。
【００５１】
また、本実施例では、エンジン１０の再始動時に、水温センサ５８の検出結果に基づいて、エンジン冷却水温が予め設定された第１温度以上にあるときには、膨張行程で停止している気筒に続く後続気筒、つまり、圧縮行程で停止している気筒に対する燃料噴射時期を圧縮上死点手前に遅角し、エンジン冷却水温が予め設定された第２温度以上にあるときには、この圧縮行程で停止している気筒に対する燃料噴射時期を圧縮上死点以降の膨張行程に遅角するようにしている。この場合、圧縮行程で停止している気筒では、その停止位置が圧縮行程の前半にあるとき、エンジン冷却水温が第１温度以上であると、圧縮行程で停止している気筒に対する燃料噴射時期を圧縮上死点手前に遅角し、エンジン冷却水温が第１温度より高い第２温度以上であると、この気筒に対する燃料噴射時期を圧縮上死点以降の膨張行程手前に遅角するようにしている。
【００５２】
即ち、図７に示すように、例えば、第１気筒＃１が膨張行程の前半で停止し、続く第３気筒＃３は圧縮行程の前半で停止しているとき、エンジン冷却水温が第１温度以上であると、第１気筒＃１の爆発力により回転が開始された直後ではなく、ＴＤＣの手前で燃料を噴射し、その後に点火する。この場合、回転が開始された直後の第３気筒＃３に燃料を噴射すると、この第３気筒＃３に燃料が噴射されてからＴＤＣまでの期間が長く、エンジン１０が高温であると、噴射燃料が高温高圧となって自己着火しやすくなるため、燃料噴射時期を点火時期の手前まで遅角する必要がある。
【００５３】
また、第１気筒＃１が膨張行程の前半で停止し、続く第３気筒＃３は圧縮行程の前半で停止しているとき、エンジン冷却水温が第２温度以上であると、ＴＤＣ以降の膨張行程で燃料を噴射し、その後に点火する。この場合、エンジン１０が極高温であると、膨張行程の後半で燃料を噴射しても、この噴射燃料が直ちに高温高圧となって自己着火しやすくなるため、燃料噴射時期を気筒内の温度と圧力が低下した膨張行程まで遅角する必要がある。
【００５４】
ここで、上述した実施例２の内燃機関の始動装置における停止制御及び再始動制御について、図６のフローチャートに基づいて詳細に説明する。
【００５５】
図１及び図６に示すように、ステップＳ２１にて、ＥＣＵ５１は、車両の運転中にエンジン１０の自動停止条件が成立したかどうかを判定する。このステップＳ２１にて、エンジン１０の自動停止条件が成立したと判定されると、ステップＳ２２に移行し、ここで、ＥＣＵ５１は、インジェクタ４１による燃料噴射と点火プラグ４５による点火を停止し、エンジン１０を停止する。
【００５６】
その後、ステップＳ２３では、エンジン１０が自動停止している状態で、エンジン再始動条件が成立したかどうかを判定する。このステップＳ２３にて、エンジン１０の再始動条件が成立したと判定されると、ステップＳ２４以降でエンジン１０の着火始動を実行する。
【００５７】
即ち、ステップＳ２４にて、クランク角センサ５７の検出結果に基づいて膨張行程で停止している気筒を判別する。そして、ステップＳ２５にて、ＥＣＵ５１は、圧縮行程で停止している気筒が、この圧縮行程の前半で停止しているかどうかを判定する。ここで、圧縮行程で停止している気筒がこの圧縮行程の前半で停止していないと判定されたら、圧縮行程で停止している気筒の燃料噴射時期を遅角する設定をせずにステップＳ３０に移行する。一方、ステップＳ２５で、圧縮行程で停止している気筒がこの圧縮行程の前半で停止していると判定されたら、ステップＳ２６に移行する。
【００５８】
このステップＳ２６にて、ＥＣＵ５１は、水温センサ５８が検出したエンジン冷却水温が予め設定された第１所定温度以上かどうかを判定する。ここで、エンジン冷却水温が第１所定温度以上でないと判定されたら、圧縮行程で停止している気筒の燃料噴射時期を遅角する設定をせずにステップＳ３０に移行する。一方、エンジン冷却水温が第１所定温度以上であると判定されたら、ステップＳ２７に移行する。このステップＳ２７にて、ＥＣＵ５１は、水温センサ５８が検出したエンジン冷却水温が予め設定された第２所定温度以上かどうかを判定する。ここで、エンジン冷却水温が第２所定温度以上でないと判定されたら、ステップＳ２８にて、圧縮行程で停止している気筒の燃料噴射時期をＴＤＣ手前に遅角する設定をした後、ステップＳ３０に移行する。一方、エンジン冷却水温が第２所定温度以上であると判定されたら、ステップＳ２９にて、圧縮行程で停止している気筒の燃料噴射時期をＴＤＣ以降の膨張行程に遅角する設定をした後、ステップＳ３０に移行する。なお、このとき、燃料噴射時期の遅角に合わせて点火時期も遅角する。
【００５９】
このようにステップＳ２５〜Ｓ２９の処理にて、圧縮行程で停止している気筒がこの圧縮行程の前半で停止し、且つ、エンジン冷却水温が第１所定温度以上で第２所定温度未満であるときに、この圧縮行程で停止している気筒の燃料噴射時期をＴＤＣ手前に遅角する設定を行ってからステップＳ３０に移行する。また、圧縮行程で停止している気筒がこの圧縮行程の前半で停止し、且つ、エンジン冷却水温が第２所定温度以上であるときに、この圧縮行程で停止している気筒の燃料噴射時期をＴＤＣ以降の膨張行程に遅角する設定を行ってからステップＳ３０に移行する。そして、ステップＳ３０にて、この膨張行程で停止している気筒の燃焼室１８に対してインジェクタ４１により所定量の燃料を噴射した後、点火プラグ４５により混合気に点火することで、この気筒は燃焼を開始して爆発力を得てピストン１４を下降させる。続いて、ステップＳ３１では、圧縮行程で停止している気筒が始動した直後にスタータモータ５０による始動を開始する。
【００６０】
そして、膨張行程で停止している気筒が燃焼を開始すると共にスタータモータ５０が駆動し、この気筒のピストン１４が下降すると、クランクシャフト１６が回転し、この回転力が膨張行程で停止している気筒に続く気筒、つまり、圧縮行程で停止している気筒に伝達され、この圧縮行程で停止している気筒のピストン１４が上昇して圧縮行程が開始される。ステップＳ３２では、この圧縮行程で停止している気筒が所定時期にに、インジェクタ４１により所定量の燃料を噴射した後、点火プラグ４５により混合気に点火することで、この気筒は燃焼を開始して爆発力を得てピストン１４を下降させる。
【００６１】
この圧縮行程で停止している気筒に対して、インジェクタ４１により燃料噴射を実行するとき、この気筒が圧縮行程の後半で停止していたり、エンジン冷却水温が第１所定温度より低いときには、この圧縮行程で停止している気筒の燃料噴射時期が遅角するように設定されていないため、膨張行程で停止している気筒の爆発力により回転が開始された直後に燃料を噴射し、ＴＤＣ近傍で点火する。
【００６２】
一方、圧縮行程で停止している気筒がこの圧縮行程の前半で停止し、且つ、エンジン冷却水温が第１所定温度以上で第２所定温度未満であるときに、この圧縮行程で停止している気筒の燃料噴射時期がＴＤＣ手前に遅角するように設定されているため、膨張行程で停止している気筒の爆発力により回転が開始されてピストン１４がＴＤＣの手前に位置したときに燃料を噴射し、その後に点火する。従って、エンジン１０が高温状態にあるときには、ＴＤＣ近傍で燃料噴射と点火が連続して行われることとなり、圧縮行程中に、高温高圧となった混合気が自己着火するのを防止することができる。
【００６３】
また、圧縮行程で停止している気筒がこの圧縮行程の前半で停止し、且つ、エンジン冷却水温が第２所定温度以上であるときに、この圧縮行程で停止している気筒の燃料噴射時期がＴＤＣ以降の膨張行程に遅角するように設定されているため、膨張行程で停止している気筒の爆発力により回転が開始されてピストン１４がＴＤＣ以降の膨張行程に位置したときに燃料を噴射し、その後に点火する。従って、エンジン１０が極高温状態にあるときには、ＴＤＣ以降の膨張行程で温度と圧力が低下した気筒内に燃料噴射と点火が行われることとなり、圧縮行程中に、高温高圧となった混合気が自己着火するのを防止することができる。
【００６４】
その後、ステップＳ３３にて、燃料噴射時期と点火時期をエンジン１０の運転状態に応じた所定の時期に戻す。そして、ステップＳ３４にて、膨張行程、圧縮行程で停止している気筒に続く各気筒に対して、通常通りに吸気ポート１９から空気を吸入し、インジェクタ４１から所定量の燃料を噴射すると共に、点火プラグ４５により混合気に点火することで燃焼し、爆発力を得てピストン１４を下降させることとなる。従って、各気筒での爆発力が所定時間継続されると共に、スタータモータ５０から付与される駆動力によりエンジン１０が再始動される。
【００６５】
その後、ステップＳ３５では、エンジン回転数が始動回転数以上まで上昇したかどうかを判定し、エンジン回転数が始動回転数以上となったらステップＳ３６に移行し、スタータモータ５０により始動を終了し、エンジン１０は適正に再始動される。
【００６６】
このように実施例２の内燃機関の始動装置にあっては、エンジン１０の始動時に、膨張行程で停止している気筒に対してインジェクタ４１により燃料噴射を実行すると共に、点火プラグ４５により点火を実行し、この膨張行程で停止している気筒に続く気筒、つまり、圧縮行程で停止している気筒に対してインジェクタ４１により燃料噴射を実行すると共に、点火プラグ４５により圧縮ＴＤＣ近傍で点火を実行することでエンジン１０を始動可能とし、圧縮行程で停止している気筒がこの圧縮行程の前半で停止し、エンジン冷却水温が第１所定温度以上で第２所定温度未満であるときには、圧縮行程で停止している気筒に対する燃料噴射時期をＴＤＣ手前に遅角し、エンジン冷却水温が第２所定温度以上であるときには、圧縮行程で停止している気筒の燃料噴射時期をＴＤＣ以降の膨張行程に遅角するようにしている。
【００６７】
従って、膨張行程で停止している気筒に燃料噴射及び点火を実行して燃焼することで爆発力を得て、エンジン１０が再始動し始めると、膨張行程で停止している気筒に続く後続気筒、つまり、圧縮行程で停止している気筒に対して燃料噴射及び点火を実行するが、エンジン冷却水温が第２所定温度以上となったエンジン１０の極高温状態のときには、この圧縮行程で停止している気筒の燃料噴射時期が膨張行程まで遅角されることとなり、温度と圧力の低下した気筒に燃料が噴射されることで、圧縮行程中に高温高圧の混合気が自己着火するのを防止することができ、エンジン１０の始動性を向上することができる。
【００６８】
なお、上述した各実施例では、エンジン１０を再始動するとき、膨張行程、圧縮行程、吸気行程で停止している気筒に対して所定のクランク角度で燃料噴射と点火を継続して行って燃焼させ、圧縮行程で停止している気筒がこの圧縮行程の前半で停止し、エンジン冷却水温が所定温度（第１所定温度）以上であるときに、この圧縮行程で停止している気筒に対する燃料噴射時期を遅角するようにしたが、圧縮行程で停止している気筒に続く吸気行程で停止している気筒の停止位置が吸気行程の後半にあり、且つ、エンジン冷却水温が予め設定された温度以上にあるときには、圧縮行程で停止している気筒に対する燃料噴射時期を遅角するようにしている。また、吸気行程で停止している気筒では、その停止位置が吸気行程の後半にあり、且つ、エンジン冷却水温が所定温度以上にあるときにも、吸気行程で停止している気筒に対する燃料噴射時期を遅角するようにしてもよい。
【００６９】
即ち、圧縮行程で停止している気筒に続く吸気行程で停止している気筒が、この吸気行程の前半で停止しているときは、まだ、吸気弁２２が開いて新気が導入されるため、混合気が自己着火するような高温とはならず、燃料噴射時期を遅角する必要はない。一方、吸気行程で停止している気筒が、この吸気行程の後半で停止しているときは、既に、吸気弁２２が閉じ始めて新気が十分に導入されないため、混合気が高温高圧となって自己着火しやすいため、燃料噴射時期を遅角する必要がある。
【００７０】
また、上述した各実施例では、エンジン１０を再始動するときに、膨張行程で停止している気筒の燃焼室１８に対して燃料を噴射すると共に、点火することで燃焼させるようにしている。この場合、停止クランク角度及びエンジン冷却水温、更に、クランクケース内圧に基づいて燃料噴射量を設定するとよい。即ち、停止クランク角度により燃焼室１８の容積がわかり、エンジン冷却水温により空気密度がわかり、クランクケース内圧により筒内圧がわかるため、これらのデータにより最適な燃料噴射量を設定することができる。
【００７１】
また、上述した各実施例では、本発明の内燃機関の始動装置を、エンジン１０が自動停止したときの再始動装置として適用したが、エンジン１０が完全に停止した状態から、イグニッションキースイッチの操作により始動する始動装置としても適用することができる。
【００７２】
そして、上述した各実施例では、本発明の内燃機関の始動装置を筒内噴射式の４気筒エンジンに適用して説明したが、この形式のエンジンに限らず、６気筒エンジンや直列型またはＶ型エンジンに適用することもできる。
【産業上の利用可能性】
【００７３】
以上のように、本発明に係る内燃機関の始動装置は、始動時に膨張行程にある気筒に燃料噴射と点火を行って燃焼による爆発力で始動する内燃機関において、機関温度が予め設定された温度以上にあるときには後続気筒に対する燃料噴射時期を遅角することで、自己着火の発生を抑制するものであり、筒内噴射式の内燃機関であれば、いずれの種類の内燃機関に用いても好適である。
【図面の簡単な説明】
【００７４】
【図１】本発明の実施例１に係る内燃機関の始動装置を表す概略構成図である。
【図２】実施例１の内燃機関の始動装置におけるエンジン停止制御及び始動制御を表すフローチャートである。
【図３】実施例１の内燃機関の始動装置におけるエンジン停止時の気筒内挙動を表す概略図である。
【図４】圧縮行程の後半で停止した気筒に対する燃料噴射時期及び点火時期を表す概略図である。
【図５】圧縮行程の前半で停止した気筒に対する燃料噴射時期及び点火時期を表す概略図である。
【図６】本発明の実施例２に係る内燃機関の始動装置におけるエンジン停止制御及び始動制御を表すフローチャートである。
【図７】圧縮行程の前半で停止した気筒に対する燃料噴射時期及び点火時期を表す概略図である。
【符号の説明】
【００７５】
１０  エンジン
１４  ピストン
１６  クランクシャフト
１８  燃焼室
１９  吸気ポート
２０  排気ポート
２１  吸気弁
２２  排気弁
２７  吸気可変動弁機構
２８  排気可変動弁機構
３７  吸気管（吸気通路）
３９  スロットル弁
４０  電子スロットル装置
４１  インジェクタ（燃料噴射手段、着火始動手段）
４５  点火プラグ（点火手段、着火始動手段）
５０  スタータモータ
５１  電子制御ユニット、ＥＣＵ（制御手段）
５２  エアフローセンサ
５４  吸気圧センサ
５５  スロットルポジションセンサ
５７  クランク角センサ（クランク角度検出手段）
５８  水温センサ（温度検出手段）
５９  燃圧センサ
【図１】
2006348863.tif 000003
【図２】
2006348863.tif 000004
【図３】
2006348863.tif 000005
【図４】
2006348863.tif 000006
【図５】
2006348863.tif 000007
【図６】
2006348863.tif 000008
【図７】
2006348863.tif 000009